(57)【要約】【課題】靴を履いたまま足底に冷却剤などをスプレーすることができる噴射ノズルを提供する。【解決手段】細長い中空の可撓性のチューブであって、前記中空のチューブの一端は、閉じられており、その先端に、靴のトップエッジからインソールと足底の間に導く扁平形状のガイド部を備え、前記中空のチューブの他端は、解放されており、スプレー容器の噴射口に接続されるように構成され、前記中空のチューブの一端近傍に、チューブの内壁から外壁に貫通する貫通孔が設けられている、噴射ノズル。【選択図】図１
2022001353.tif 000002
【特許請求の範囲】
【請求項１】
細長い中空の可撓性のチューブであって、前記中空のチューブの一端は、閉じられており、その先端に、靴のトップエッジからインソールと足底の間に導く扁平形状のガイド部を備え、
前記中空のチューブの他端は、解放されており、スプレー容器の噴射口に接続されるように構成され、
前記中空のチューブの一端近傍に、チューブの内壁から外壁に貫通する貫通孔が設けられている、
噴射ノズル。
【請求項２】
前記噴射口が２個以上である、請求項１に記載の噴射ノズル。
【請求項３】
前記チューブの外壁の長手方向に沿って対称に２つのリブが設けられている、請求項１または２に記載の噴射ノズル。
【発明の詳細な説明】
【技術分野】
【０００１】
本発明は、靴を履いたまま足底にスプレーすることができる噴射ノズルに関するものである。
【背景技術】
【０００２】
スポーツを行っている途中に、冷却剤などをスプレーすると、パフォーマンスが向上することが知られている。このような冷却剤は、靴を脱いで足底にスプレーされる。このため、スプレーするために時間がかかるという問題がある。
【０００３】
靴を履いたまま足に冷風を送ることができる装置が開発されている（例えば、特許文献１参照）。しかし、この装置は、靴に装着されるため、構造が複雑であり、スポーツなどのハードな使用に耐えられない、靴の重量・構造に制限がかかるという問題がある。また、靴ごとに装着しなければならないという問題がある。
【先行技術文献】
【特許文献】
【０００４】
【特許文献１】実開平５−７１０７号公報
【発明の概要】
【発明が解決しようとする課題】
【０００５】
本発明の目的は、靴を履いたまま足底に冷却剤などをスプレーすることができる噴射ノズルを提供することにある。
【課題を解決するための手段】
【０００６】
本発明の噴射ノズルは、細長い中空の可撓性のチューブであって、前記中空のチューブの一端は、閉じられており、その先端に、靴のトップエッジからインソールと足底の間に導く扁平形状のガイド部を備え、
前記中空のチューブの他端は、開放されており、スプレー容器の噴射口に接続されるように構成され、
前記中空のチューブの一端近傍に、チューブの内壁から外壁に貫通する貫通孔が設けられている。
【０００７】
本発明の噴射ノズルは、靴のトップエッジからインソールと足底の間に導く扁平形状のガイド部を備えている。この結果、靴を履いたままで、扁平形状のガイド部を足底に導びいて、スプレー容器から内容物をスプレーすることができる。
【０００８】
また、チューブの他端は、解放されており、スプレー容器の噴射口に接続されるように構成されているので、市販の冷却剤などが入ったプレー容器の噴射ノズルの代わりに用いることができる。
【０００９】
また、本発明の噴射ノズルは、貫通孔が２個以上であると好ましい。２個以上あると、足底の前後に冷却剤などを噴射することができるので、効果を高めることができる。
【００１０】
また、本発明の噴射ノズルは、前記チューブの外壁の長手方向に沿って対称に２つのリブが設けられていると好ましい。リブを設けることにより、噴射ノズルの先端が横に曲がることを防止して、より確実に靴のトップエッジからインソールと足底の間に導くことができる。
【発明の効果】
【００１１】
本発明の噴射ノズルは、靴を履いたままで、貫通孔のある部分を足底に導くことができるので、スプレー容器から内容物をスプレーすることができる。
【図面の簡単な説明】
【００１２】
【図１】図１は本発明の噴射ノズルを示す平面図である。
【図２】図２は本発明の噴射ノズルを示す側面図である。
【図３】図３は本発明の別の形態の噴射ノズルのチューブ部分を示す断面図である。
【図４】図４は本発明の噴射ノズルの利用方法を示した説明図である。
【図５】図５は本発明の噴射ノズルをインソールと足底の間に挿入した場合の概念図である。
【発明を実施するための形態】
【実施例１】
【００１３】
図１は、本発明の噴射ノズルを示す平面図であり、図2は、本発明の噴射ノズルを示す側面図である。本発明の噴射ノズル１は、細長い中空の可撓性のチューブ２と、ガイド部３とを含んで構成されている。ガイド部３の材料も、チューブ２と同一の材料で構成され、可撓性である。
【００１４】
細長い中空の可撓性のチューブ２は、その一端４が閉鎖されており、その先端に、ガイド部３を有する。ガイド部３は、本発明の噴射ノズル１を靴のインソールと足底の間に導く。ガイド部３は、図1、２に示すように、扁平形状である。扁平形状であれば、靴のトップエッジに挿入しやすく、ガイド部３の先端が靴のインソールに到達すると、折れ曲がって靴のインソールと足底の間に進むことができる。ガイド部３は、扁平形状であれば、特に制限はないが、略円形状、略楕円形状などの角のない形状であれば、足を傷つけないので好ましい。
【００１５】
チューブ２の他端５は開放されている。この開口部を介して、スプレー容器の噴射口に接続されるように構成されている。
【００１６】
中空のチューブ２の一端４近傍に、チューブ２の内壁から外壁に貫通する貫通孔６を有する。貫通孔を介して冷却剤などを足底に噴霧する。貫通孔６は、インソールと足底の間において、足底の前後に冷却剤などを噴霧することができる位置に設けられていればよい。貫通孔６の数は、適切に冷却剤などを噴射することができれば、特に制限はないが、貫通孔は２個以上であると好ましく、２個であればさらに好ましい。また、貫通孔の位置は、チューブ２に対して、対向して、かつ図2に示すように、ガイド部３の扁平面に略平行に設けられていると好ましい。
【００１７】
本発明の噴射ノズル１は、可撓性の材料、特にプラスチックで形成されていればよい。可撓性の程度は、靴のトップエッジからインソールと足底の間に挿入する際に約９０°の角度で折り曲げられる際に、噴射ノズル１が破損されない程度であることが要求される。また、約９０°の角度で折り曲げられる際およびインソールと足底の間において、チューブ２が潰れて、冷却剤などが通過できなくならない程度の硬度が要求される。このような可撓性の材料としては、例えばポリプロピレンなどが挙げられるが、これに限定されない。
【実施例２】
【００１８】
また、本発明の噴射ノズル１の他の形態は、図3に示すように、チューブ２の外壁の長手方向に沿って対称に２つのリブ７が設けられている。リブを設けることにより、チューブが横に曲がることを防止できる。
【００１９】
本発明の噴射ノズル１の製造は、射出成型などの公知の方法を用いて行うことができる。
【００２０】
（噴射ノズルの使用方法）
本発明の噴射ノズル１は、冷却剤、抗炎症剤、鎮痛剤などの薬剤が封入されたスプレー容器に適用される。本発明の噴射ノズル１は、スプレー容器の噴射口に接続される。
【００２１】
まず、図4に示すように、ガイド部３を土踏まず側の靴のトップエッジから挿入する。チューブ２を押し続けると、ガイド部３がインソールに当接する。チューブ２をさらに押し続けると、チューブ２とガイド部３が折れ曲がり、ガイド部３がインソールと足底の間に進んでいく。例えば、図5に示すように、ガイド部３が土踏まずの部分を超えたときに、噴射口を押すことにより、薬剤を足底に噴霧する。噴霧後にチューブ２を引き、噴射ノズル１を引き抜く。使用後の噴射ノズル１をスプレー容器の噴射口から取り外す。
【符号の説明】
【００２２】
１    噴射ノズル
２    チューブ
３    ガイド部
４    一端
５    他端
６    貫通孔
７    リブ
【図１】
2022001353.tif 000003
【図２】
2022001353.tif 000004
【図３】
2022001353.tif 000005
【図４】
2022001353.tif 000006
【図５】
2022001353.tif 000007